(57)【要約】【課題】  ＩＰ電話網を経由した端末へ再接続すること。【解決手段】  緊急通報施設１と接続した交換機２を含む公衆電話交換網８とＩＰ電話網５との間に配置され、ＩＰ端末４からＩＰ電話網５を介した施設への発呼のときに使用した発信元情報と着信先情報と通信経路情報とをゲートウェイ３の通話管理テーブルに格納し、前記施設からＩＰ端末に再呼び出し要求があった場合、前記通話管理テーブルに格納した発信元情報及び通信経路情報を用いて発呼したＩＰ端末の再呼び出しを行うもの。また前記再呼び出しシステムにおいて、ゲートウェイ３が、施設からの切断要求により、通話管理テーブルに格納した発信元情報と着信先情報と通信経路情報とを破棄するもの。【選択図】図１
2005236703.tif 000002
【特許請求の範囲】
【請求項１】
交換機を介した施設にＩＰ端末からＩＰ電話網を介した通信を行う通信システムにおけるＩＰ電話網への再呼出しシステムであって、前記交換機とＩＰ電話網との間に配置され、ＩＰ端末からＩＰ電話網を介した施設への発呼のときに使用した発信元情報と着信先情報と通信経路情報とを通話管理テーブルに格納し、前記施設からＩＰ端末に再呼び出し要求があった場合、前記通話管理テーブルに格納した発信元情報及び通信経路情報を用いて発呼したＩＰ端末の再呼出しを行うゲートウェイを設けたことを特徴とするＩＰ電話網への再呼出しシステム。
【請求項２】
前記ゲートウェイが、前記施設からの切断要求により、通話管理テーブルに格納した発信元情報と着信先情報と通信経路情報とを破棄することを特徴とする請求項１記載のＩＰ電話網への再呼出しシステム。
【請求項３】
交換機を介した施設にＩＰ端末からＩＰ電話網を介した通信を行う通信システムにおけるＩＰ電話網への再呼出し方法であって、前記ＩＰ端末からＩＰ電話網を介した施設への発呼のときに使用した発信元情報と着信先情報と通信経路情報とを一時的に格納し、前記施設からＩＰ端末に再呼出し要求があった場合、前記格納した発信元情報及び通信経路情報を用いて発呼したＩＰ端末の再呼出しを行うことを特徴とするＩＰ電話網への再呼び出方法。
【請求項４】
前記施設からの切断要求により、一時的に格納した発信元情報と着信先情報と通信経路情報とを破棄することを特徴とする請求項３記載のＩＰ電話網への再呼出し方法。
【発明の詳細な説明】
【技術分野】
【０００１】
本発明は、ＩＰ電話網を介して発呼された発信元への再呼出しを行うことができるＩＰ電話網の再呼び出しシステム及び再呼び出し方法に関する。
【背景技術】
【０００２】
近年、一般の公衆電話交換網による電話回線に代わり、インターネット通信網であるＩＰ電話網を介した電話通信が普及しており、このＩＰ電話網を介して警察署や消防署等の緊急通報施設への通報が行われている。また一般に公衆電話交換網を介した前記緊急通報施設への通報においては、通報者が通信を切断したのちにおいても、公衆電話交換網が接続回線を維持する機能があるため、緊急通報施設側から発呼者側への再呼び出しを行うことは容易である。
【０００３】
尚、前記ＩＰ電話通信網を介した緊急通報施設への通信技術が記載された技術としては、下記特許文献が挙げられる。
【特許文献１】特開２００３−１９８７５７号公報
【発明の開示】
【発明が解決しようとする課題】
【０００４】
従来技術による通信システムは、ＩＰ電話網を介して緊急通報施設へ発呼し、この通信が切断された場合、ＩＰ電話網が複数の業者によって個別に開発され、再呼出しの方式が統一されていない為、どの発呼者側端末に対しても、再呼出しが出来るとは限らないと言う不具合があった。即ち、従来のＩＰ電話網は、発信側からの切断信号が送信された場合、ＩＰ電話網が発信元情報／着信先情報／通信経路の保持を破棄するため、緊急通報施設側が発信元端末へ再呼出ししたときに、ＩＰ電話網内及びＩＰ電話網を経由した端末へ接続要求することが出来ないと言う不具合があった。
【０００５】
本発明の目的は、前述の従来技術による不具合を除去することであり、ＩＰ電話網内及びＩＰ電話網を経由した端末へ再接続することができるＩＰ電話網への再呼出しシステム及び再呼出し方法を提供することである。
【課題を解決するための手段】
【０００６】
前記目的を達成するため本発明は、ＩＰ端末からＩＰ電話網を介した施設への発呼のときに使用した発信元情報と着信先情報と通信経路情報とを一時的に格納し、前記施設からＩＰ端末に再呼び出し要求があった場合、前記格納した発信元情報及び通信経路情報を用いて発呼したＩＰ端末の再呼び出しを行うこと交換機を介した施設にＩＰ端末からＩＰ電話網を介した通信を行う通信システムにおけるＩＰ電話網への再呼出しシステムであって、前記交換機とＩＰ電話網との間に配置され、ＩＰ端末からＩＰ電話網を介した施設への発呼のときに使用した発信元情報と着信先情報と通信経路情報とを通話管理テーブルに格納し、前記施設からＩＰ端末に再呼び出し要求があった場合、前記通話管理テーブルに格納した発信元情報及び通信経路情報を用いて発呼したＩＰ端末の再呼出しを行うゲートウェイを設けたことを第１の特徴とし、この再呼出しシステムにおいて、前記ゲートウェイが、施設からの切断要求により、通話管理テーブルに格納した発信元情報と着信先情報と通信経路情報とを破棄することを第２の特徴とする。
【０００７】
また本発明は、交換機を介した施設にＩＰ端末からＩＰ電話網を介した通信を行う通信システムにおけるＩＰ電話網への再呼出し方法であって、前記ＩＰ端末からＩＰ電話網を介した施設への発呼のときに使用した発信元情報と着信先情報と通信経路情報とを一時的に格納し、前記施設からＩＰ端末に再呼出し要求があった場合、前記格納した発信元情報及び通信経路情報を用いて発呼したＩＰ端末の再呼出しを行うことを第３の特徴とし、この再呼出し方法において、前記施設からの切断要求により、一時的に格納した発信元情報と着信先情報と通信経路情報とを破棄することを第４の特徴とする。
【発明の効果】
【０００８】
本発明によるＩＰ電話網への再呼び出しシステム及び再呼出し方法は、ゲートウェイがＩＰ端末からＩＰ電話網を介した施設への発呼のときに使用した発信元情報と着信先情報と通信経路情報とを一時的に格納し、前記施設からＩＰ端末に再呼出し要求があった場合、前記格納した発信元情報及び通信経路情報を用いて発呼したＩＰ端末の再呼出しを行うことにより、ＩＰ電話網を経由した端末へ再接続することができる。
【発明を実施するための最良の形態】
【０００９】
以下、本発明による本発明によるＩＰ電話網への再呼出しシステム及び再呼出し方法の一実施形態を図面を参照して詳細に説明する。図１は、本実施形態によるＩＰ電話網への再呼び出しシステムの構成を説明するための図、図２は本実施形態による動作を説明するための図である。
【００１０】
図１に示すＩＰ電話網への再呼び出しシステムは、緊急通報施設１及び該緊急通報施設１を収容する交換機２（例えば、アナログ、ディジタル公衆電話回線網）を含む公衆電話交換網８と、ＩＰ電話網５を介して電話通信を行うＩＰ端末（ＩＰ電話機）４と、ＩＰ電話網７を介して電話通信を行うＩＰ端末（ＩＰ電話機）６と、前記ＩＰ電話網５と公衆電話交換網８間に介在し、発信元情報／着信先情報／通信経路情報とを含む一次記憶リスト内データ９を通話管理テーブル（図示せず）に格納するゲートウェイ３とを備え、ＩＰ端末６から緊急通報施設１への通話はＩＰ電話網７及び５並びにゲートウェイ３を介して公衆電話交換網８の交換機２に接続され、該交換機２から緊急通報施設１へ接続することによって行われる様に構成されている。前記ゲートウェイ３は、自己を介した通話毎の発信元情報／着信先情報／通信経路情報とを含む一次記憶リスト内データ９を通話管理テーブルに格納する機能を備え、通信インターフェース装置の機能を備える。尚、前記ＩＰ電話網５及び７の通信プロトコルは異なるものであり、ＩＰ電話網７のＩＰ端末６からの発呼も前記同様にＩＰ電話網５−ゲートウェイ３を介して行われる。
【００１１】
この様に構成されたＩＰ電話網への再呼び出しシステムの概略動作は、図２に示す如く、まずＩＰ網５内のＩＰ端末４からの緊急通報要求信号ａをゲートウェイ３に対して送信すると、ゲートウェイ３が前記ＩＰ端末４から得られた発信元情報／着信先情報／通話経路情報など再呼出しに必要な情報を通話管理テーブルに一時記憶した後、緊急通報要求先の公衆電話交換網８内の交換機２へ接続要求信号ｂを送信する。この信号を受信した交換機２は、自己に接続されている緊急通報施設１に対して呼出し接続要求信号ｃを発信し、着信された場合、この緊急通報施設１から接続要求信号ｄが交換機２に発せられ、該交換機２から接続要求受付信号ｅ、ゲートウェイ３から接続要求受付信号ｆがＩＰ端末４に返送されることによって通話／通信が開始される。この通話／通信はＩＰ端末６を用いた場合も同様である。
【００１２】
この通話の終了等により切断要求信号ｉがＩＰ端末４から発信され、この切断要求信号ｉを受信したゲートウェイ３が切断要求信号ｊを交換機２に発した場合、本システムは、公衆電話交換網８内の交換機２が常時再呼出しが行えるように前述の接続状態ｋを保持しており、この状態において緊急通報施設１から再呼び出し信号ｌを発信した場合、交換機２がゲートウェイ３へ再呼出し信号ｍを発信することにより本実施形態の特徴であるゲートウェイ３が、前記通話管理テーブルに格納した一次記憶リスト内データ９（発信元情報／着信先情報／通信経路情報）を呼び出し、前記データに含まれる通信経路情報を基に経由するＩＰ電話網を識別し、且つ該識別したＩＰ電話網内の発信元情報を基にＩＰ網５のＩＰ端末４への再呼び信号ｎを作成して再呼出しを行い、図示は省略するが通話を再開することができる。
【００１３】
更に本実施形態によるＩＰ電話網への再呼出しシステムは、再通話の終了等により緊急通報施設１から切断要求信号ｑが発信され、この切断要求信号ｑを受信したゲートウェイ３が切断要求信号ｊを交換機２に発し、交換機２が切断要求信号ｒを発した場合、本実施形態によるゲートウェイ３が、前記通話管理テーブルに格納した一次記憶リスト内データ９（発信元情報／着信先情報／通信経路情報）を破棄すると共に切断完了信号ｔをＩＰ端末４に送信して通話を完了する様に動作する。即ち本システムは、緊急通報施設側からの通信切断要求がされた場合、ゲートウェイ３が事前に格納したゲートウェイ３に記憶した発信元情報／着信先情報／通信経路情報等の情報を廃棄する様に動作する。
【００１４】
尚、前記実施形態においては緊急通報施設側からの通信切断要求によりゲートウェイ３の発信元情報等を廃棄する例を説明したが、本発明はこれに限られるものではなく、例えば前記再呼び出しの後にＩＰ端末４からの切断要求信号ｏが発せられたとき、ゲートウェイ３はＩＰ端末４へ切断完了信号ｐを返送して切断を完了させ、このときに前記情報を破棄しても良いし、両者の通信切断後も一定時間情報を保持し、一定時間後に廃棄することや、他の記憶装置に通信履歴として記憶した後に廃棄する様に構成しても良い。
【図面の簡単な説明】
【００１５】
【図１】本発明の一実施形態によるＩＰ電話網への再呼び出しシステムの構成を説明するための図。
【図２】本実施形態によるＩＰ電話網への再呼び出しシステムの動作を説明するための図。
【符号の説明】
【００１６】
１：緊急通報施設、２：交換機、３：ゲートウェイ、４：ＩＰ端末、５：ＩＰ電話網、６：ＩＰ端末、７：ＩＰ電話網、８：公衆電話交換網、９：一次記憶リスト内データ。
【図１】
2005236703.tif 000003
【図２】
2005236703.tif 000004